(57)【要約】【課題】  電力管理サーバが適切に累積的な積算値を管理することを可能とする電力管理方法、電力管理装置及び電力管理サーバを提供する。【解決手段】  電力管理方法は、メータによって計測される電力計測値の値種別を示す情報要素を含む登録メッセージを電力管理サーバに送信するステップＡと、前記電力管理サーバが、前記電力計測値の累積的な積算値を管理するステップＢとを備える。前記累積的な積算値は、前記値種別に基づいて管理される。【選択図】図１２
2018201313.tif 000002
【特許請求の範囲】
【請求項１】
メータによって計測される電力計測値の値種別を示す情報要素を含む登録メッセージを電力管理サーバに送信するステップＡと、
前記電力管理サーバが、前記電力計測値の累積的な積算値を管理するステップＢとを備え、
前記累積的な積算値は、前記値種別に基づいて管理される、電力管理方法。
【請求項２】
前記情報要素は、前記メータの種別を示す情報要素を含む、請求項１に記載の電力管理方法。
【請求項３】
前記情報要素は、前記電力計測値の単位を示す情報要素を含む、請求項１又は請求項２に記載の電力管理方法。
【請求項４】
前記情報要素は、前記電力計測値の計測方法を示す情報要素を含む、請求項１乃至請求項３のいずれかに記載の電力管理方法。
【請求項５】
前記メータは、主メータと、前記主メータを利用できない期間に用いられる代替メータとを含む、請求項１乃至請求項４のいずれかに記載の電力管理方法。
【請求項６】
前記メータから電力管理装置に対して、前記電力計測値を送信するステップと、
前記電力管理装置が、前記累積的な積算値を算出するステップと、
前記電力管理装置から前記電力管理サーバに対して、前記累積的な積算値を示す情報要素を含む報告メッセージを送信するステップとを備える、請求項１乃至請求項５のいずれかに記載の電力管理方法。
【請求項７】
前記ステップＡは、前記電力管理装置から前記電力管理サーバに対して、前記登録メッセージを送信するステップを含む、請求項６に記載の電力管理方法。
【請求項８】
前記電力管理サーバが、前記主メータに対応する主値種別及び前記代替メータに対応する代替値種別に基づいて、前記電力管理サーバによって管理される前記累積的な積算値を変換し、前記代替メータに対応する初期値を算出するステップと、
前記主メータから前記代替メータへの切り替えが行われる場合に、前記電力管理サーバから前記電力管理装置に対して、前記代替メータに対応する初期値を示す情報要素を含む報告要求メッセージを送信するステップとを備える、請求項６又は請求項７に記載の電力管理方法。
【請求項９】
前記電力管理サーバが、前記代替メータに対応する代替値種別及び前記主メータに対応する第２値種別に基づいて、前記電力管理サーバによって管理される前記累積的な積算値を変換し、前記主メータに対応する初期値を算出するステップと、
前記代替メータから前記主メータへの切り替えが行われる場合に、前記電力管理サーバから前記電力管理装置に対して、前記主メータに対応する初期値を示す情報要素を含む報告要求メッセージを送信するステップとを備える、請求項６乃至請求項８のいずれかに記載の電力管理方法。
【請求項１０】
前記メータから前記電力管理サーバに対して、前記電力計測値を送信するステップと、
前記電力管理サーバが、前記累積的な積算値を算出するステップとを備える、請求項１乃至請求項５のいずれかに記載の電力管理方法。
【請求項１１】
前記ステップＡは、前記メータから前記電力管理サーバに対して、前記登録メッセージを送信するステップを含む、請求項１０に記載の電力管理方法。
【請求項１２】
メータによって計測される電力計測値を前記メータから受信する受信部と、
前記電力計測値の値種別を示す情報要素を含む登録メッセージを電力管理サーバに送信する送信部とを備え、
前記送信部は、前記電力計測値及び前記電力計測値の累積的な積算値の少なくともいずれかを示す情報要素を含む報告メッセージを前記電力管理サーバに送信し、
前記累積的な積算値は、前記値種別に基づいて管理される、電力管理装置。
【請求項１３】
メータによって計測される電力計測値の値種別を示す情報要素を含む登録メッセージを受信する受信部と、
前記電力計測値の累積的な積算値を前記値種別に基づいて管理する管理部とを備える、電力管理サーバ。
【発明の詳細な説明】
【技術分野】
【０００１】
本発明は、電力管理方法、電力管理装置及び電力管理サーバに関する技術である。
【背景技術】
【０００２】
従来、施設に設けられたメータによって計測された電力計測値に基づいて、ユーザに課金する電気料金が決定されている。このようなメータとして、通信機能を有するスマートメータの導入も検討されている（例えば、特許文献１）。メータによって計測された電力計測値の累積的な積算値は、電力管理サーバによって管理される。
【先行技術文献】
【特許文献】
【０００３】
【特許文献１】特開２０１４−１５３３３７号公報
【発明の概要】
【発明が解決しようとする課題】
【０００４】
ところで、メータの故障に伴ってメータを交換する必要が生じる事態が考えられる。例えば、主メータを交換する場合においては、メータの交換作業に伴う空白期間において代替メータを用いることによって、電力管理サーバによって管理される累積的な積算値の不連続を回避することが考えられる。
【０００５】
しかしながら、主メータ及び代替メータによって計測される電力計測値の値種別（例えば、単位又は計測方法）が異なる可能性がある。このような可能性が考慮されていない環境下においては、電力管理サーバによって管理される累積的な積算値の連続性を維持することができない。
【０００６】
そこで、本発明は、上述した課題を解決するためになされたものであり、電力管理サーバが適切に累積的な積算値を管理することを可能とする電力管理方法、電力管理装置及び電力管理サーバを提供することを目的とする。
【課題を解決するための手段】
【０００７】
第１の特徴に係る電力管理方法は、メータによって計測される電力計測値の値種別を示す情報要素を含む登録メッセージを電力管理サーバに送信するステップＡと、前記電力管理サーバが、前記電力計測値の累積的な積算値を管理するステップＢとを備える。前記累積的な積算値は、前記値種別に基づいて管理される。
【０００８】
第２の特徴に係る電力管理装置は、メータによって計測される電力計測値を前記メータから受信する受信部と、前記電力計測値の値種別を示す情報要素を含む登録メッセージを電力管理サーバに送信する送信部とを備える。前記送信部は、前記電力計測値及び前記電力計測値の累積的な積算値の少なくともいずれかを示す情報要素を含む報告メッセージを前記電力管理サーバに送信する。前記累積的な積算値は、前記値種別に基づいて管理される。
【０００９】
第３の特徴に係る電力管理サーバは、メータによって計測される電力計測値の値種別を示す情報要素を含む登録メッセージを受信する受信部と、前記電力計測値の累積的な積算値を管理する管理部とを備える。前記累積的な積算値は、前記値種別に基づいて管理される。
【発明の効果】
【００１０】
一態様によれば、電力管理サーバが適切に累積的な積算値を管理することを可能とする電力管理方法、電力管理装置及び電力管理サーバを提供することができる。
【図面の簡単な説明】
【００１１】
【図１】図１は、実施形態に係る電力管理システム１００を示す図である。
【図２】図２は、実施形態に係る施設３００を示す図である。
【図３】図３は、実施形態に係る電力管理サーバ２００を示す図である。
【図４】図４は、実施形態に係るローカル制御装置３６０を示す図である。
【図５】図５は、実施形態に係る電力メータ６００を示す図である。
【図６】図６は、実施形態に係る値種別を説明するための図である。
【図７】図７は、実施形態に係る値種別を説明するための図である。
【図８】図８は、実施形態に係る第１プロトコルの一例を示す図である。
【図９】図９は、実施形態に係る第１プロトコルの一例を示す図である。
【図１０】図１０は、実施形態に係る第１プロトコルの一例を示す図である。
【図１１】図１１は、実施形態に係る第１プロトコルの一例を示す図である。
【図１２】図１２は、実施形態に係る登録シーケンスを示す図である。
【図１３】図１３は、実施形態に係る報告シーケンスを示す図である。
【図１４】図１４は、実施形態に係る交換シーケンスを示す図である。
【図１５】図１５は、実施形態に係る交換シーケンスを示す図である。
【発明を実施するための形態】
【００１２】
以下において、実施形態について図面を参照しながら説明する。なお、以下の図面の記載において、同一又は類似の部分には、同一又は類似の符号を付している。
【００１３】
但し、図面は模式的なものであり、各寸法の比率などは現実のものとは異なる場合があることに留意すべきである。従って、具体的な寸法などは以下の説明を参酌して判断すべきである。また、図面相互間においても互いの寸法の関係又は比率が異なる部分が含まれている場合があることは勿論である。
【００１４】
［実施形態］
（電力管理システム）
以下において、実施形態に係る電力管理システムについて説明する。
【００１５】
図１に示すように、電力管理システム１００は、電力管理サーバ２００と、施設３００と、電力会社４００とを有する。図１では、施設３００として、施設３００Ａ〜施設３００Ｃが例示されている。
【００１６】
各施設３００は、電力系統１１０に接続される。以下において、電力系統１１０から施設３００への電力の流れを潮流と称し、施設３００から電力系統１１０への電力の流れを逆潮流と称する。
【００１７】
電力管理サーバ２００、施設３００及び電力会社４００は、ネットワーク１２０に接続されている。ネットワーク１２０は、電力管理サーバ２００と施設３００との間の回線及び電力管理サーバ２００と電力会社４００との間の回線を提供すればよい。ネットワーク１２０は、例えば、インターネットである。ネットワーク１２０は、ＶＰＮ（Ｖｉｒｔｕａｌ  Ｐｒｉｖａｔｅ  Ｎｅｔｗｏｒｋ）などの専用回線を提供してもよい。
【００１８】
電力管理サーバ２００は、発電事業者、送配電事業者或いは小売事業者などの事業者によって管理されるサーバである。
【００１９】
電力管理サーバ２００は、施設３００に設けられるローカル制御装置３６０に対して、施設３００に設けられる分散電源（例えば、太陽電池装置３１０又は蓄電池装置３２０）に対する制御を指示する制御メッセージを送信する。例えば、電力管理サーバ２００は、潮流の制御を要求する潮流制御メッセージ（例えば、ＤＲ；Ｄｅｍａｎｄ  Ｒｅｓｐｏｎｓｅ）を送信してもよく、逆潮流の制御を要求する逆潮流制御メッセージを送信してもよい。さらに、電力管理サーバ２００は、分散電源の動作状態を制御する電源制御メッセージを送信してもよい。潮流又は逆潮流の制御度合いは、絶対値（例えば、○○ｋＷ）で表されてもよく、相対値（例えば、○○％）で表されてもよい。或いは、潮流又は逆潮流の制御度合いは、２以上のレベルで表されてもよい。潮流又は逆潮流の制御度合いは、現在の電力需給バランスによって定められる電力料金（ＲＴＰ；Ｒｅａｌ  Ｔｉｍｅ  Ｐｒｉｃｉｎｇ）によって表されてもよく、過去の電力需給バランスによって定められる電力料金（ＴＯＵ；Ｔｉｍｅ  Ｏｆ  Ｕｓｅ）によって表されてもよい。
【００２０】
施設３００は、図２に示すように、太陽電池装置３１０、蓄電池装置３２０、負荷機器３３０、電力メータ３４０、電力メータ３５０及びローカル制御装置３６０を有する。施設３００には電力メータ５００が設けられる。電力メータ５００は、施設３００内に設けられてもよく、施設３００外に設けられてもよい。
【００２１】
太陽電池装置３１０は、太陽光などの光に応じて発電を行う分散電源である。太陽電池装置３１０は、電力系統１１０への逆潮流が許可された分散電源の一例である。太陽電池装置３１０は、例えば、ＰＣＳ（Ｐｏｗｅｒ  Ｃｏｎｄｉｔｉｏｎｉｎｇ  Ｓｙｓｔｅｍ）及び太陽光パネルによって構成される。太陽電池装置３１０は、ＶＰＰ（Ｖｉｒｔｕａｌ  Ｐｏｗｅｒ  Ｐｌａｎｔ）に用いられる電源であってもよい。
【００２２】
蓄電池装置３２０は、電力の充電及び電力の放電を行う分散電源である。蓄電池装置３２０は、例えば、ＰＣＳ及び蓄電池セルによって構成される。蓄電池装置３２０は、ＶＰＰに用いられる電源であってもよい。
【００２３】
負荷機器３３０は、電力を消費する機器である。負荷機器３３０は、例えば、空調機器、照明機器、ＡＶ（Ａｕｄｉｏ  Ｖｉｓｕａｌ）機器などである。
【００２４】
電力メータ３４０は、太陽電池装置３１０の発電電力量を計測する。電力メータ３４０によって計測される値を電力計測値と称する。電力メータ３４０は、例えば、電力会社４００に帰属しないＣＴセンサを有する。電力メータ３４０は、第１周期（例えば、１分）で電力計測値をローカル制御装置３６０に送信してもよい。例えば、電力計測値の計測方法は、瞬時値であり、電力計測値の単位は、Ａ（アンペア）、ＶＡ（ボルトアンペア）又はＷ（ワット）である。或いは、電力計測値の計測方法は、差分値又は積算値であり、電力計測値の単位は、Ａｈ（アンペアアワー）、ＶＡｈ（ボルトアンペアアワー）又はＷｈ（ワットアワー）である。
【００２５】
電力メータ３５０は、蓄電池装置３２０の充電量又は放電量を計測する。電力メータ３５０によって計測される値を電力計測値と称する。電力メータ３５０は、例えば、電力会社４００に帰属しないＣＴセンサを有する。電力メータ３５０は、第１周期（例えば、１分）で電力計測値をローカル制御装置３６０に送信してもよい。例えば、電力計測値の計測方法は、瞬時値であり、電力計測値の単位は、Ａ、ＶＡ又はＷである。或いは、電力計測値の計測方法は、差分値又は積算値であり、電力計測値の単位は、Ａｈ、ＶＡｈ又はＷｈである。
【００２６】
電力メータ３５０によって計測される電力計測値の単位及び計測方法は、電力メータ３４０によって計測される電力計測値の単位及び計測方法と同じであってもよい。
【００２７】
ローカル制御装置３６０は、施設３００の電力を管理する装置（ＥＭＳ；Ｅｎｅｒｇｙ  Ｍａｎａｇｅｍｅｎｔ  Ｓｙｓｔｅｍ）である。ローカル制御装置３６０は、太陽電池装置３１０の動作状態を制御してもよく、施設３００に設けられる蓄電池装置３２０の動作状態を制御してもよい。ローカル制御装置３６０は、電力管理装置の一例である。ローカル制御装置３６０の詳細については後述する（図４を参照）。
【００２８】
電力メータ５００は、電力系統１１０から施設３００への潮流の量及び施設３００から電力系統１１０への逆潮流の量を計測する。電力メータ５００によって計測される値を電力計測値と称する。電力メータ５００は、例えば、電力会社４００に帰属するスマートメータである。電力メータ５００は、第１周期よりも長い第２周期（例えば、３０分）で電力計測値をローカル制御装置３６０に送信してもよい。例えば、電力計測値の計測方法は、積算値であり、電力計測値の単位は、Ｗｈ（ワットアワー）である。
【００２９】
実施形態において、電力管理サーバ２００とローカル制御装置３６０との間の通信は、第１プロトコルに従って行われる。一方で、ローカル制御装置３６０と分散電源（太陽電池装置３１０又は蓄電池装置３２０）との間の通信は、第１プロトコルとは異なる第２プロトコルに従って行われる。第１プロトコルとしては、例えば、Ｏｐｅｎ  ＡＤＲ（Ａｕｔｏｍａｔｅｄ  Ｄｅｍａｎｄ  Ｒｅｓｐｏｎｓｅ）、或いは、独自の専用プロトコルを用いることができる。第２プロトコルは、例えば、ＥＣＨＯＮＥＴ  Ｌｉｔｅ、ＳＥＰ（Ｓｍａｒｔ  Ｅｎｅｒｇｙ  Ｐｒｏｆｉｌｅ）２．０、ＫＮＸ、或いは、独自の専用プロトコルを用いることができる。なお、第１プロトコルと第２プロトコルは異なっていればよく、例えば、両方が独自の専用プロトコルであっても異なる規則で作られたプロトコルであればよい。
【００３０】
電力会社４００は、電力系統１１０などのインフラストラクチャーを提供するエンティティであり、例えば、発電事業者である。電力会社４００は、送配電事業者或いは小売事業者などの事業者に対して、各種の業務を委託してもよい。
【００３１】
（電力管理サーバ）
以下において、実施形態に係る電力管理サーバについて説明する。図３に示すように、電力管理サーバ２００は、管理部２１０と、通信部２２０と、制御部２３０とを有する。電力管理サーバ２００は、ＶＴＮ（Ｖｉｒｔｕａｌ  Ｔｏｐ  Ｎｏｄｅ）の一例である。
【００３２】
管理部２１０は、不揮発性メモリ又は／及びＨＤＤなどの記憶媒体によって構成されており、施設３００に関するデータを管理する。施設３００に関するデータは、例えば、施設３００に設けられる分散電源（太陽電池装置３１０又は蓄電池装置３２０）の種別、施設３００に設けられる分散電源（太陽電池装置３１０又は蓄電池装置３２０）のスペックなどである。スペックは、太陽電池装置３１０の定格発電電力、蓄電池装置３２０の定格出力電力などであってもよい。
【００３３】
実施形態において、管理部２１０は、電力計測値の累積的な積算値を管理する。電力メータ５００を利用できる場合において、管理部２１０は、電力メータ５００によって計測された電力計測値の累積的な積算値を管理する。例えば、管理部２１０は、累積的な積算値をＷｈで管理する。
【００３４】
一方で、電力メータ５００を利用できない場合において、管理部２１０は、電力メータ３４０及び電力メータ３５０によって計測された電力計測値に基づいて、累積的な積算値を補間する。このようなケースにおいて、電力メータ５００に対応する電力計測値の値種別（例えば、単位及び計測方法）が、電力メータ３４０及び電力メータ３５０に対応する電力計測値の値種別（例えば、単位及び計測方法）と異なるケースが考えられる。従って、値種別に基づいた変換処理が必要であるため、累積的な積算値は値種別に基づいて管理される。
【００３５】
ここで、電力メータ５００を利用できないケースとしては、電力メータ５００（主メータ）の不具合（通信異常又は故障）が考えられる。電力メータ３４０及び電力メータ３５０は、不具合期間に用いられる代替メータの一例である。或いは、電力メータ５００を利用できないケースとしては、電力メータ５００Ａを電力メータ５００Ｂに交換するケースが考えられる。電力メータ３４０及び電力メータ３５０は、交換作業に伴う空白期間に用いられる代替メータの一例である。
【００３６】
通信部２２０は、通信モジュールによって構成されており、ネットワーク１２０を介してローカル制御装置３６０と通信を行う。通信部２２０は、上述したように、第１プロトコルに従って通信を行う。例えば、通信部２２０は、第１プロトコルに従って第１メッセージをローカル制御装置３６０に送信する。通信部２２０は、第１プロトコルに従って第１メッセージ応答をローカル制御装置３６０から受信する。
【００３７】
実施形態において、通信部２２０は、電力メータ（電力メータ３４０、電力メータ３５０及び電力メータ５００）によって計測される電力計測値の値種別を示す情報要素を含む登録メッセージをローカル制御装置３６０から受信する。通信部２２０は、登録メッセージに対する登録応答メッセージをローカル制御装置３６０に送信する。登録応答メッセージは、登録メッセージで指定された機能の登録が完了した旨を示すメッセージである。登録応答メッセージは、登録メッセージに含まれる情報要素を含んでもよい。
【００３８】
値種別を示す情報要素は、電力メータの種別を示す情報要素を含んでもよい。このようなケースにおいて、電力メータの種別は、電力計測値の単位及び計測方法と対応付けられており、電力メータの種別に基づいて値種別を特定可能である。
【００３９】
値種別を示す情報要素は、電力計測値の単位を示す情報要素及び電力計測値の計測方法を示す情報要素を含んでもよい。電力計測値の単位が既知である場合には、値種別を示す情報要素は、電力計測値の単位を示す情報要素を含まずに、電力計測値の計測方法を示す情報要素を含んでもよい。一方で、電力計測値の計測方法が既知である場合には、値種別を示す情報要素は、電力計測値の計測方法を示す情報要素を含まずに、電力計測値の単位を示す情報要素を含んでもよい。
【００４０】
実施形態において、通信部２２０は、累積的な積算値の送信を要求する報告要求メッセージをローカル制御装置３６０に送信する。報告要求メッセージは、値種別を示す情報要素を含む。電力メータ５００を利用できる場合において、報告要求メッセージは、電力メータ５００に対応する値種別を示す情報要素を含む。一方で、電力メータ５００を利用できない場合において、報告要求メッセージは、電力メータ３４０及び電力メータ３５０に対応する値種別を示す情報要素を含む。通信部２２０は、報告要求メッセージに対する報告要求応答メッセージをローカル制御装置３６０から受信する。報告要求応答メッセージは、報告要求メッセージで指定された報告要求を受け付けた旨を示すメッセージである。報告要求応答メッセージは、報告要求メッセージに含まれる情報要素を含んでもよい。
【００４１】
実施形態において、通信部２２０は、累積的な積算値を示す情報要素を含む報告メッセージをローカル制御装置３６０から受信する。報告メッセージは、報告要求メッセージで指定された値種別に対応する累積的な積算値を含む。報告メッセージは、報告要求メッセージで指定された値種別を示す情報要素を含んでもよい。従って、電力メータ５００を利用できる場合において、報告メッセージは、電力メータ５００に対応する値種別を示す情報要素を含んでもよい。一方で、電力メータ５００を利用できない場合において、報告メッセージは、電力メータ３４０及び電力メータ３５０に対応する値種別を示す情報要素を含んでもよい。通信部２２０は、報告メッセージに対する報告応答メッセージをローカル制御装置３６０に送信する。報告応答メッセージは、報告メッセージを受信した旨を示すメッセージである。報告応答メッセージは、報告メッセージに含まれる情報要素を含んでもよい。
【００４２】
制御部２３０は、メモリ及びＣＰＵなどによって構成されており、電力管理サーバ２００に設けられる各構成を制御する。制御部２３０は、例えば、制御メッセージの送信によって、施設３００に設けられるローカル制御装置３６０に対して、施設３００に設けられる分散電源（太陽電池装置３１０又は蓄電池装置３２０）に対する制御を指示する。制御メッセージは、上述したように、潮流制御メッセージであってもよく、逆潮流制御メッセージであってもよく、電源制御メッセージであってもよい。
【００４３】
（ローカル制御装置）
以下において、実施形態に係るローカル制御装置について説明する。図４に示すように、ローカル制御装置３６０は、第１通信部３６１と、第２通信部３６２と、制御部３６３とを有する。ローカル制御装置３６０は、ＶＥＮ（Ｖｉｒｔｕａｌ  Ｅｎｄ  Ｎｏｄｅ）の一例である。
【００４４】
第１通信部３６１は、通信モジュールによって構成されており、ネットワーク１２０を介して電力管理サーバ２００と通信を行う。第１通信部３６１は、上述したように、第１プロトコルに従って通信を行う。例えば、第１通信部３６１は、第１プロトコルに従って第１メッセージを電力管理サーバ２００から受信する。第１通信部３６１は、第１プロトコルに従って第１メッセージ応答を電力管理サーバ２００に送信する。
【００４５】
実施形態において、第１通信部３６１は、上述した登録メッセージを電力管理サーバ２００に送信する。第１通信部３６１は、上述した登録応答メッセージを電力管理サーバ２００から受信する。第１通信部３６１は、上述した報告要求メッセージを電力管理サーバ２００から受信する。第１通信部３６１は、上述した報告要求応答メッセージを電力管理サーバ２００に送信する。第１通信部３６１は、上述した報告メッセージを電力管理サーバ２００に送信する。第１通信部３６１は、上述した報告応答メッセージを電力管理サーバ２００から受信する。
【００４６】
第２通信部３６２は、通信モジュールによって構成されており、分散電源（太陽電池装置３１０又は蓄電池装置３２０）及び電力メータ（電力メータ３４０、電力メータ３４０及び電力メータ３５０）と通信を行う。第２通信部３６２は、上述したように、第２プロトコルに従って通信を行う。例えば、第２通信部３６２は、第２プロトコルに従って第２メッセージを分散電源及び電力メータに送信する。第２通信部３６２は、第２プロトコルに従って第２メッセージ応答を分散電源及び電力メータから受信する。
【００４７】
制御部３６３は、メモリ及びＣＰＵなどによって構成されており、ローカル制御装置３６０に設けられる各構成を制御する。具体的には、制御部３６３は、施設３００の電力を制御するために、第２メッセージの送信及び第２メッセージ応答の受信によって、分散電源の動作状態の設定を機器に指示する。制御部３６３は、施設３００の電力を管理するために、第２メッセージの送信及び第２メッセージ応答の受信によって分散電源の情報の報告を分散電源に指示してもよい。
【００４８】
実施形態において、制御部３６３は、電力計測値の累積的な積算値を算出する。累積的な積算値は、需要量（潮流の量及び逆潮流の量）の累積的な積算値であってもよく、蓄電池装置３２０の充電量の累積的な積算値でもよく、蓄電池装置３２０の放電量の累積的な積算値でもよい。ここでは、需要量の累積的な積算値について主として説明する。
【００４９】
例えば、電力メータ５００を利用できる場合において、制御部３６３は、電力メータ５００から受信する電力計測値に基づいて、累積的な積算値を算出する。このようなケースにおいて、電力計測値は需要量の計測値であるため、制御部３６３は、電力計測値をそのまま累積的に積算すればよい。
【００５０】
一方で、電力メータ５００を利用できない場合において、制御部３６３は、電力メータ３４０及び電力メータ３５０から受信する電力計測値に基づいて、累積的な積算値を算出する。このようなケースにおいて、制御部３６３は、電力メータ３４０から受信する電力計測値（太陽電池装置３１０の発電電力量）、電力メータ３５０から受信する電力計測値（蓄電池装置３２０の充電量又は放電量）、負荷機器３３０の消費電力量に基づいて、需要量（潮流の量又は逆潮流の量）を算出する。制御部３６３は、算出された需要量を累積的に積算する。
【００５１】
但し、電力メータ５００の電力計測値に基づいた累積的な積算値の単位及び計測方法は、電力メータ３４０及び電力メータ３５０に基づいた累積的な積算値の単位及び計測方法と異なる。従って、電力管理サーバ２００と同期を取る観点から、電力メータ５００を用いた累積的な積算値の算出と電力メータ３４０及び電力メータ３５０を用いた累積的な積算値の算出とを切り替える際に、電力管理サーバ２００によって管理される累積的な積算値の初期値がローカル制御装置３６０に通知されることが好ましい。初期値はタイムスタンプと対応付けられており、ローカル制御装置３６０は、タイムスタンプによって示される時刻を積算開始時刻として、初期値に対して需要量を累積的に積算する。
【００５２】
（電力メータ）
以下において、実施形態に係る電力メータについて説明する。電力メータ３４０、電力メータ３５０及び電力メータ５００は同様の構成を有するため、ここでは、これらを電力メータ６００と称する。図５に示すように、電力メータ６００は、計測部６１０及び通信部６２０を有する。
【００５３】
計測部６１０は、各種の電力を計測する。電力計測値の単位及び計測方法は、電力メータ６００に対応する値種別によって異なる。
【００５４】
通信部６２０は、通信モジュールによって構成されており、ローカル制御装置３６０と通信を行う。通信部６２０は、上述したように、第２プロトコルに従って通信を行う。例えば、通信部６２０は、第２プロトコルに従って第２メッセージをローカル制御装置３６０に送信する。通信部６２０は、第２プロトコルに従って第２メッセージ応答をローカル制御装置３６０から受信する。
【００５５】
通信部６２０は、電力計測値の値種別を示す情報要素を含む登録メッセージをローカル制御装置３６０に送信する。例えば、通信部６２０は、所定タイミングで登録メッセージを送信する。所定タイミングは、施設３００に設けられるローカルエリアネットワークに電力メータ６００が初めて接続されたタイミング、ローカルエリアネットワークに電力メータ６００が再接続されたタイミング、停電から復旧したタイミングなどである。
【００５６】
通信部６２０は、電力計測値をローカル制御装置３６０に送信する。通信部６２０は、ローカル制御装置３６０から要求されなくても自律的に電力計測値を送信してもよく、ローカル制御装置３６０から要求された場合に電力計測値を送信してもよい。
【００５７】
（情報要素）
以下において、実施形態に係る各種メッセージに含まれる情報要素について説明する。各種メッセージは、登録メッセージ、登録応答メッセージ、報告要求メッセージ、報告要求応答メッセージなどである。
【００５８】
例えば、図６及び図７に示すように、情報要素は、ｒＩＤと称されるコードであってもよい。ｒＩＤは、計測種別及び値種別と対応付けられている。計測種別は、電力計測値の意味を示しており、例えば、需要量、充電量及び放電量などの情報である。需要量は、上述した潮流の量又は逆潮流の量である。充電量は、蓄電池装置３２０の充電量である。放電量は、蓄電池装置３２０の放電量である。値種別は、電力計測値の単位及び計測方法を特定する情報である。図６においては、値種別として、電力メータの種別が例示されている。図７においては、値種別として、電力計測値の単位及び計測方法が例示されている。ここで、図７に示す例では、値種別として、倍率、電圧及び力率についても定義されているが、これらのパラメータは電力計測値の単位を特定するためのパラメータである。従って、これらのパラメータは、電力計測値の単位を示す情報要素と考えてよい。
【００５９】
ここで、ｒＩＤは、値種別と１対１の関係で定義されている。一方で、計測種別は、ｒＩＤ（値種別）と１対多の関係で定義される。言い換えると、１つの計測種別に対して２以上の値種別が定義されている。
【００６０】
（第１プロトコルの一例）
以下において、実施形態に係る第１プロトコルの一例について説明する。ここでは、第１プロトコルがＯｐｅｎ  ＡＤＲ２．０に準拠するプロトコルであるケースを例示する。
【００６１】
第１に、登録メッセージの一例であるｏａｄｒＲｅｇｉｓｔｅｒＲｅｐｏｒｔは、ローカル制御装置３６０（ＶＥＮ）が有する報告機能の一覧であり、例えば、図８に示す様々な情報要素を含む。ここで、図６又は図７に示した値種別は、ｐｏｗｅｒ：ｉｔｅｍＤｅｓｃｒｉｐｔｉｏｎに格納される情報要素であってもよい。
【００６２】
第２に、登録応答メッセージの一例であるｏａｄｒＲｅｇｉｓｔｅｒｅｄＲｅｐｏｒｔは、ｏａｄｒＲｅｇｉｓｔｅｒＲｅｐｏｒｔに対する応答メッセージであり、例えば、図９に示す情報要素を含む。ｏａｄｒＲｅｇｉｓｔｅｒｅｄＲｅｐｏｒｔは、電力管理サーバ２００（ＶＴＮ）が登録を完了した情報要素（例えば、ｒｅｑｕｅｓｔＩＤ）を含む。ｏａｄｒＲｅｇｉｓｔｅｒｅｄＲｅｐｏｒｔは、電力管理サーバ２００が報告を要求する情報要素を含んでもよい。
【００６３】
第３に、報告要求メッセージの一例であるｏａｄｒＣｒｅａｔｅＲｅｐｏｒｔは、電力管理サーバ２００（ＶＴＮ）からローカル制御装置３６０（ＶＥＮ）に報告を要求するメッセージであり、例えば、図１０に示す情報要素を含む。ここで、図６又は図７に示した値種別は、ｐｏｗｅｒ：ｉｔｅｍＤｅｓｃｒｉｐｔｉｏｎに格納される情報要素であってもよい。
【００６４】
第４に、報告要求応答メッセージの一例であるｏａｄｒＣｒｅａｔｅｄＲｅｐｏｒｔは、ｏａｄｒＣｒｅａｔｅＲｅｐｏｒｔに対する応答メッセージであり、例えば、図１１に示す情報要素を含む。ｏａｄｒＣｒｅａｔｅｄＲｅｐｏｒｔは、ローカル制御装置３６０（ＶＥＮ）が報告を受け付けた情報要素（例えば、ｒｅｑｕｅｓｔＩＤ）を含む。
【００６５】
（登録シーケンス）
以下において、実施形態に係る登録シーケンスについて説明する。以下においては、第１プロトコルがＯｐｅｎ  ＡＤＲ２．０に準拠するプロトコルであり、第２プロトコルがＥＣＨＯＮＥＴ  Ｌｉｔｅに準拠するプロトコルであるケースについて例示する。
【００６６】
図１２に示すように、ステップＳ１０において、電力メータ６００（電力メータ３４０、電力メータ３４０及び電力メータ５００）は、インスタンスリストをローカル制御装置３６０に送信する。インスタンスリストは、電力メータ６００の種別を示すメッセージであり、少なくとも、各電力メータの値種別を示す情報要素を含む。
【００６７】
ステップＳ１１において、ローカル制御装置３６０は、ｏａｄｒＣｒｅａｔｅＰａｒｔｙＲｅｇｉｓｔｒａｔｉｏｎを電力管理サーバ２００に送信する。ｏａｄｒＣｒｅａｔｅＰａｒｔｙＲｅｇｉｓｔｒａｔｉｏｎは、ローカル制御装置３６０を電力管理サーバ２００に登録するためのメッセージである。
【００６８】
ステップＳ１２において、電力管理サーバ２００は、ｏａｄｒＣｒｅａｔｅｄＰａｒｔｙＲｅｇｉｓｔｒａｔｉｏｎをローカル制御装置３６０に送信する。ｏａｄｒＣｒｅａｔｅｄＰａｒｔｙＲｅｇｉｓｔｒａｔｉｏｎは、ｏａｄｒＣｒｅａｔｅＰａｒｔｙＲｅｇｉｓｔｒａｔｉｏｎに対する応答メッセージであり、ローカル制御装置３６０の登録が完了した旨を示すメッセージである。
【００６９】
ステップＳ１３において、ローカル制御装置３６０は、ｏａｄｒＲｅｇｉｓｔｅｒＲｅｐｏｒｔを電力管理サーバ２００に送信する。ｏａｄｒＲｅｇｉｓｔｅｒＲｅｐｏｒｔは、上述した登録メッセージの一例であり、電力計測値の値種別を示す情報要素を含む。
【００７０】
ステップＳ１４において、電力管理サーバ２００は、ｏａｄｒＲｅｇｉｓｔｅｒｅｄＲｅｐｏｒｔをローカル制御装置３６０に送信する。ｏａｄｒＲｅｇｉｓｔｅｒｅｄＲｅｐｏｒｔは、登録応答メッセージの一例であり、ｏａｄｒＲｅｇｉｓｔｅｒＲｅｐｏｒｔに対する応答メッセージである。
【００７１】
（報告シーケンス）
以下において、実施形態に係る報告シーケンスについて説明する。以下においては、第１プロトコルがＯｐｅｎ  ＡＤＲ２．０に準拠するプロトコルであり、第２プロトコルがＥＣＨＯＮＥＴ  Ｌｉｔｅに準拠するプロトコルであるケースについて例示する。ここでは、電力計測値が需要量であるケースを例示する。
【００７２】
図１３に示すように、ステップＳ２０において、電力メータ５００は、電力計測値を含むＩＮＦコマンドをローカル制御装置３６０に送信する。電力メータ５００は、例えば、上述した第２周期でＩＮＦコマンドをローカル制御装置３６０に送信する。
【００７３】
ステップＳ２１において、ローカル制御装置３６０は、ｏａｄｒＰｏｌｌを電力管理サーバ２００に送信する。ｏａｄｒＰｏｌｌは、ローカル制御装置３６０に対する要求があるか否かを確認するためのメッセージである。ｏａｄｒＰｏｌｌは、定期的に送信される。
【００７４】
ステップＳ２２において、電力管理サーバ２００は、ｏａｄｒＣｒｅａｔｅＲｅｐｏｒｔをローカル制御装置３６０に送信する。ｏａｄｒＣｒｅａｔｅＲｅｐｏｒｔは、報告要求メッセージの一例であり、電力計測値の値種別を示す情報要素を含む。
【００７５】
ステップＳ２３において、ローカル制御装置３６０は、ｏａｄｒＣｒｅａｔｅｄＲｅｐｏｒｔを電力管理サーバ２００に送信する。ｏａｄｒＣｒｅａｔｅｄＲｅｐｏｒｔは、報告要求応答メッセージの一例であり、ｏａｄｒＣｒｅａｔｅＲｅｐｏｒｔに対する応答メッセージである。
【００７６】
ステップＳ２４において、電力管理サーバ２００は、ｏａｄｒResponseをローカル制御装置３６０に送信する。ｏａｄｒResponseは、ｏａｄｒＣｒｅａｔｅｄＲｅｐｏｒｔを受信した旨を示すメッセージである。
【００７７】
ステップＳ２５において、ローカル制御装置３６０は、ｏａｄｒＵｐｄａｔｅＲｅｐｏｒｔを電力管理サーバ２００に送信する。ｏａｄｒＵｐｄａｔｅＲｅｐｏｒｔは、累積的な積算値を示す情報要素を含む報告メッセージの一例である。
【００７８】
ステップＳ２６において、電力管理サーバ２００は、ｏａｄｒＵｐｄａｔｅｄＲｅｐｏｒｔをローカル制御装置３６０に送信する。ｏａｄｒＵｐｄａｔｅｄＲｅｐｏｒｔは、報告応答メッセージの一例であり、ｏａｄｒＵｐｄａｔｅＲｅｐｏｒｔに対する応答メッセージである。
【００７９】
（交換シーケンス）
以下において、実施形態に係る交換シーケンスについて説明する。以下においては、第１プロトコルがＯｐｅｎ  ＡＤＲ２．０に準拠するプロトコルであり、第２プロトコルがＥＣＨＯＮＥＴ  Ｌｉｔｅに準拠するプロトコルであるケースについて例示する。ここでは、電力メータ５００Ａを電力メータ５００Ｂに交換するケースについて例示し、電力計測値が需要量であるケースを例示する。図１４及び図１５においては、図１３に示すｏａｄｒＵｐｄａｔｅＲｅｐｏｒｔ及びｏａｄｒＵｐｄａｔｅｄＲｅｐｏｒｔの通信については省略されている。
【００８０】
第１に、交換作業を開始するシーケンスについて説明する。図１４に示すように、ステップＳ３０において、電力メータ５００Ａは、電力計測値を含むＩＮＦコマンドをローカル制御装置３６０に送信する。電力メータ５００Ａは、例えば、上述した第２周期（例えば、３０分）でＩＮＦコマンドをローカル制御装置３６０に送信する。
【００８１】
ステップＳ３１において、ローカル制御装置３６０は、ｏａｄｒＰｏｌｌを電力管理サーバ２００に送信する。ｏａｄｒＰｏｌｌは、ローカル制御装置３６０に対する要求があるか否かを確認するためのメッセージである。ｏａｄｒＰｏｌｌは、定期的に送信される。
【００８２】
ステップＳ３２において、電力管理サーバ２００は、ｏａｄｒＣｒｅａｔｅＲｅｐｏｒｔをローカル制御装置３６０に送信する。ｏａｄｒＣｒｅａｔｅＲｅｐｏｒｔは、報告要求メッセージの一例であり、電力メータ５００Ａに対応する値種別を示す情報要素を含む。
【００８３】
ステップＳ３３において、ローカル制御装置３６０は、ｏａｄｒＣｒｅａｔｅｄＲｅｐｏｒｔを電力管理サーバ２００に送信する。ｏａｄｒＣｒｅａｔｅｄＲｅｐｏｒｔは、報告要求応答メッセージの一例であり、ｏａｄｒＣｒｅａｔｅＲｅｐｏｒｔに対する応答メッセージである。
【００８４】
ステップＳ３４において、電力管理サーバ２００は、ｏａｄｒResponseをローカル制御装置３６０に送信する。ｏａｄｒResponseは、ｏａｄｒＣｒｅａｔｅｄＲｅｐｏｒｔを受信した旨を示すメッセージである。
【００８５】
ステップＳ３５において、電力メータ５００Ａを電力メータ５００Ｂに交換する作業を開始する。
【００８６】
ステップＳ３６において、ローカル制御装置３６０は、ＧＥＴコマンドを電力メータ３４０及び電力メータ３５０に送信する。ＧＥＴコマンドは、電力メータ３４０及び電力メータ３５０の電力計測値を要求するメッセージの一例である。ローカル制御装置３６０は、例えば、上述した第１周期（例えば、１分）でＧＥＴコマンドを送信する。
【００８７】
ステップＳ３７において、電力メータ３４０及び電力メータ３５０は、ＧＥＴ応答コマンドをローカル制御装置３６０に送信する。ＧＥＴ応答コマンドは、ＧＥＴコマンドに対する応答メッセージであり、電力メータ３４０及び電力メータ３５０の電力計測値を含む。
【００８８】
ステップＳ３８において、ローカル制御装置３６０は、ｏａｄｒＰｏｌｌを電力管理サーバ２００に送信する。ｏａｄｒＰｏｌｌは、ローカル制御装置３６０に対する要求があるか否かを確認するためのメッセージである。ｏａｄｒＰｏｌｌは、定期的に送信される。
【００８９】
ステップＳ３９において、電力管理サーバ２００は、ｏａｄｒＣｒｅａｔｅＲｅｐｏｒｔをローカル制御装置３６０に送信する。ｏａｄｒＣｒｅａｔｅＲｅｐｏｒｔは、報告要求メッセージの一例であり、電力メータ３４０及び電力メータ３５０に対応する値種別を示す情報要素を含む。
【００９０】
ここで、電力管理サーバ２００は、電力メータ５００Ａに対応する値種別及び電力メータ３４０及び電力メータ３５０に対応する値種別に基づいて、電力管理サーバ２００によって管理される累積的な積算値を変換し、電力メータ３４０及び電力メータ３５０に対応する初期値を算出する。電力管理サーバ２００は、算出された初期値を示す情報要素を含むｏａｄｒＣｒｅａｔｅＲｅｐｏｒｔを送信する。ｏａｄｒＣｒｅａｔｅＲｅｐｏｒｔは、初期値を算出したタイミングを特定するタイムスタンプを示す情報要素を含む。
【００９１】
ステップＳ４０において、ローカル制御装置３６０は、ｏａｄｒＣｒｅａｔｅｄＲｅｐｏｒｔを電力管理サーバ２００に送信する。ｏａｄｒＣｒｅａｔｅｄＲｅｐｏｒｔは、報告要求応答メッセージの一例であり、ｏａｄｒＣｒｅａｔｅＲｅｐｏｒｔに対する応答メッセージである。
【００９２】
ステップＳ４１において、電力管理サーバ２００は、ｏａｄｒResponseをローカル制御装置３６０に送信する。ｏａｄｒResponseは、ｏａｄｒＣｒｅａｔｅｄＲｅｐｏｒｔを受信した旨を示すメッセージである。
【００９３】
第２に、交換作業を終了するシーケンスについて説明する。図１５に示すように、ステップＳ５０において、ローカル制御装置３６０は、ＧＥＴコマンドを電力メータ３４０及び電力メータ３５０に送信する。ＧＥＴコマンドは、電力メータ３４０及び電力メータ３５０の電力計測値を要求するメッセージの一例である。ローカル制御装置３６０は、例えば、上述した第１周期（例えば、１分）でＧＥＴコマンドを送信する。
【００９４】
ステップＳ５１において、電力メータ３４０及び電力メータ３５０は、ＧＥＴ応答コマンドをローカル制御装置３６０に送信する。ＧＥＴ応答コマンドは、ＧＥＴコマンドに対する応答メッセージであり、電力メータ３４０及び電力メータ３５０の電力計測値を含む。
【００９５】
ステップＳ５２において、ローカル制御装置３６０は、ｏａｄｒＰｏｌｌを電力管理サーバ２００に送信する。ｏａｄｒＰｏｌｌは、ローカル制御装置３６０に対する要求があるか否かを確認するためのメッセージである。ｏａｄｒＰｏｌｌは、定期的に送信される。
【００９６】
ステップＳ５３において、電力管理サーバ２００は、ｏａｄｒＣｒｅａｔｅＲｅｐｏｒｔをローカル制御装置３６０に送信する。ｏａｄｒＣｒｅａｔｅＲｅｐｏｒｔは、報告要求メッセージの一例であり、電力メータ３４０及び電力メータ３５０に対応する値種別を示す情報要素を含む。
【００９７】
ステップＳ５４において、ローカル制御装置３６０は、ｏａｄｒＣｒｅａｔｅｄＲｅｐｏｒｔを電力管理サーバ２００に送信する。ｏａｄｒＣｒｅａｔｅｄＲｅｐｏｒｔは、報告要求応答メッセージの一例であり、ｏａｄｒＣｒｅａｔｅＲｅｐｏｒｔに対する応答メッセージである。
【００９８】
ステップＳ５５において、電力管理サーバ２００は、ｏａｄｒResponseをローカル制御装置３６０に送信する。ｏａｄｒResponseは、ｏａｄｒＣｒｅａｔｅｄＲｅｐｏｒｔを受信した旨を示すメッセージである。
【００９９】
ステップＳ５６において、電力メータ５００Ａを電力メータ５００Ｂに交換する作業を終了する。
【０１００】
ステップＳ５７において、電力メータ５００Ｂは、電力計測値を含むＩＮＦコマンドをローカル制御装置３６０に送信する。電力メータ５００Ｂは、例えば、上述した第２周期（例えば、３０分）でＩＮＦコマンドをローカル制御装置３６０に送信する。
【０１０１】
ステップＳ５８において、ローカル制御装置３６０は、ｏａｄｒＰｏｌｌを電力管理サーバ２００に送信する。ｏａｄｒＰｏｌｌは、ローカル制御装置３６０に対する要求があるか否かを確認するためのメッセージである。ｏａｄｒＰｏｌｌは、定期的に送信される。
【０１０２】
ステップＳ５９において、電力管理サーバ２００は、ｏａｄｒＣｒｅａｔｅＲｅｐｏｒｔをローカル制御装置３６０に送信する。ｏａｄｒＣｒｅａｔｅＲｅｐｏｒｔは、報告要求メッセージの一例であり、電力メータ５００Ｂに対応する値種別を示す情報要素を含む。
【０１０３】
ここで、電力管理サーバ２００は、電力メータ３４０及び電力メータ３５０に対応する値種別及び電力メータ５００Ｂに対応する値種別に基づいて、電力管理サーバ２００によって管理される累積的な積算値を変換し、電力メータ５００Ｂに対応する初期値を算出する。電力管理サーバ２００は、算出された初期値を示す情報要素を含むｏａｄｒＣｒｅａｔｅＲｅｐｏｒｔを送信する。ｏａｄｒＣｒｅａｔｅＲｅｐｏｒｔは、初期値を算出したタイミングを特定するタイムスタンプを示す情報要素を含む。
【０１０４】
ステップＳ６０において、ローカル制御装置３６０は、ｏａｄｒＣｒｅａｔｅｄＲｅｐｏｒｔを電力管理サーバ２００に送信する。ｏａｄｒＣｒｅａｔｅｄＲｅｐｏｒｔは、報告要求応答メッセージの一例であり、ｏａｄｒＣｒｅａｔｅＲｅｐｏｒｔに対する応答メッセージである。
【０１０５】
ステップＳ６１において、電力管理サーバ２００は、ｏａｄｒResponseをローカル制御装置３６０に送信する。ｏａｄｒResponseは、ｏａｄｒＣｒｅａｔｅｄＲｅｐｏｒｔを受信した旨を示すメッセージである。
【０１０６】
図１４及び図１５に示すケースにおいて、電力メータ５００Ｂによって計測される電力計測値の値種別は、電力メータ５００Ａによって計測される電力計測値の値種別と同じであっても異なっていてもよい。
【０１０７】
（作用及び効果）
実施形態によれば、電力メータ６００によって計測される電力計測値の値種別が電力管理サーバ２００に登録される。電力管理サーバ２００によって管理される累積的な積算値は、値種別に基づいて管理される。このような構成によれば、電力メータ６００の交換や代替が行われるケースであっても、電力管理サーバ２００が電力計測値の値種別を把握しているため、電力管理サーバ２００によって管理される累積的な積算値の連続性を維持することができる。
【０１０８】
［変更例１］
以下において、実施形態の変更例１について説明する。以下においては、実施形態に対する相違点について主として説明する。
【０１０９】
具体的には、実施形態では、累積的な積算値はローカル制御装置３６０によって算出される。これに対して、変更例１では、累積的な積算値は電力管理サーバ２００によって算出される。
【０１１０】
変更例１においては、電力管理サーバ２００は、電力メータ６００（電力メータ３４０、電力メータ３５０及び電力メータ５００）から電力計測値を受信する。このようなケースにおいて、電力計測値は、ローカル制御装置３６０を経由して電力管理サーバ２００に送信されてもよく、ローカル制御装置３６０を経由せずに電力管理サーバ２００に送信されてもよい。このようなケースにおいて、ローカル制御装置３６０は、負荷機器３３０の消費電力量を示す情報要素を含むメッセージを電力管理サーバ２００に送信してもよい。
【０１１１】
変更例１において、電力メータ６００は、電力メータ６００によって計測される電力計測値の値種別を示す情報要素を含む登録メッセージを電力管理サーバ２００に送信する。このようなケースにおいて、登録メッセージは、ローカル制御装置３６０を経由して電力管理サーバ２００に送信されてもよく、ローカル制御装置３６０を経由せずに電力管理サーバ２００に送信されてもよい。
【０１１２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１３】
実施形態では、代替メータとして、電力メータ３４０及び電力メータ３５０が設けられるケースについて例示した。しかしながら、実施形態はこれに限定されるものではない。代替メータとして、需要量（潮流の量及び逆潮流の量）を計測する電力メータが設けられていてもよい。このような電力メータは、単位及び計測方法を除いて、電力メータ５００と実質的に同じ電力量を計測するが、ローカル制御装置３６０に対する電力計測値の送信頻度等が異なっていてもよい。
【０１１４】
実施形態では、需要量の累積的な積算値について主として説明したが、実施形態はこれに限定されるものではない。累積的な積算値は、蓄電池装置３２０の充電量に係る値であってもよく、蓄電池装置３２０の放電量に係る値であってもよい。
【０１１５】
実施形態に係る電力メータは例示に過ぎず、電力メータの数及び配置としては様々なケースが想定される。このようなケースにおいて、電力メータは、主メータと、主メータを代替可能な１以上の代替メータを含んでもよい。主メータの電力計測値の単位及び計測方法は、代替メータの電力計測値の単位及び計測方法と異なる可能性があれば、電力管理サーバ２００に対する値種別の登録は有用である。
【０１１６】
実施形態では特に触れていないが、施設３００に設けられるローカル制御装置３６０は、必ずしも施設３００内に設けられていなくてもよい。例えば、ローカル制御装置３６０の機能の一部は、インターネット上に設けられるクラウドサーバによって提供されてもよい。すなわち、ローカル制御装置３６０がクラウドサーバを含むと考えてもよい。
【０１１７】
実施形態では、第１プロトコルがＯｐｅｎ  ＡＤＲ２．０に準拠するプロトコルであり、第２プロトコルがＥＣＨＯＮＥＴ  Ｌｉｔｅに準拠するプロトコルであるケースについて例示した。しかしながら、実施形態はこれに限定されるものではない。第１プロトコルは、電力管理サーバ２００とローカル制御装置３６０との間の通信で用いるプロトコルとして規格化されたプロトコルであればよい。第２プロトコルは、施設３００で用いるプロトコルとして規格化されたプロトコルであればよい。
【符号の説明】
【０１１８】
１００…電力管理システム、１１０…電力系統、１２０…ネットワーク、２００…電力管理サーバ、２１０…管理部、２２０…通信部、２３０…制御部、３００…施設、３１０…太陽電池装置、３２０…蓄電池装置、３３０…負荷機器、３４０…電力メータ、３５０…電力メータ、３６０…ローカル制御装置、３６１…第１通信部、３６２…第２通信部、３６３…制御部、４００…電力会社、５００…電力メータ、６００…電力メータ、６１０…計測部、６２０…通信部
【図１】
2018201313.tif 000003
【図２】
2018201313.tif 000004
【図３】
2018201313.tif 000005
【図４】
2018201313.tif 000006
【図５】
2018201313.tif 000007
【図６】
2018201313.tif 000008
【図７】
2018201313.tif 000009
【図８】
2018201313.tif 000010
【図９】
2018201313.tif 000011
【図１０】
2018201313.tif 000012
【図１１】
2018201313.tif 000013
【図１２】
2018201313.tif 000014
【図１３】
2018201313.tif 000015
【図１４】
2018201313.tif 000016
【図１５】
2018201313.tif 000017